(57)【要約】      （修正有）【課題】多様な設置場所で昼夜を問わない連続利用が可能な球体利用揚球式重力モーターを提供する。【解決手段】球１の質量で重力回転盤３０１を回転し、発生した回転力で揚球盤１０１を回して球を高所に揚げる。高所の球を重力回転盤に落し重力回転盤を回し、重力回転盤から放出された球を揚球盤に戻し再度高所に揚げる。重力回転盤と揚球盤の間を、球の通過タイミングを制御する制球用羽根車４０１を設けた傾斜誘導路５で連絡し、球を循環させる事によって、連続した回転力が得られるので動力源として活用する。【選択図】図１
0003174139.tif 000002
【実用新案登録請求の範囲】
【請求項１】
球の質量で重力回転盤を回し、重力回転盤で発生する回転力で球を高所に揚げる揚球盤と球の通過タイミングを制御する制球用羽根車を動かし、且つ揚球盤、制球用羽根車の回転数を重力回転盤と同調する様に制御する。動力回転盤と揚球盤の間を，球が自動走行する傾斜誘導路で連絡して球を循環させる。重力回転盤、揚球盤、及び傾斜誘導路を組み合わせ、球を循環させる事によって、球の重力エネルギーを連続した回転力として活用する事を特徴とする球体利用揚球式重力モーター。
【考案の詳細な説明】
【技術分野】
【０００１】  本考案は、球を持ち揚げ位置エネルギーを与え、球の重力を活用して回転エネルギーを連続的に得ようとするものである。
【背景技術】
【０００２】  太陽光や風力などの自然エネルギーの利用には、気象条件や地理的条件に変換効率が左右され、機器の運転効率が不安定なのが課題である。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  気象条件や時間帯に左右されない重力エネルギーを、球の自重と低きに転がる性質を利用して、一日中利用できる安定したエネルギー源として活用することを図る。
【課題を解決するための手段】
【０００６】    本考案は、球の質量を重力エネルギーとして活用する。球は螺旋状走行路をもつ揚球盤を回すことで持ち揚げ、位置エネルギーが高まった球を重力回転盤に落下して重力回転盤を回し回転エネルギーに変換する。重力回転盤の回転力は、伝導軸で揚球盤と制球用羽根車に伝えられ揚球盤と制球用羽根車を回す。球が自重で移動できる傾斜誘導路を重力回転盤と揚球盤の間に設置し球を移動、且つ循環させる。球の循環サイクルで、重力エネルギーを連続した回転力に変換する事で安定したエネルギー源としての活用を図った。
【考案の効果】
【０００７】  球は、回転する揚球盤内で螺旋状走行路を移動する際、自らの重量で低位置に転がっていくので抵抗が少なく、重力回転盤で発生する回転力を殆んど損耗せず回転力を十分他に活用でき、発電機などの動力源として多様な設置場所で昼夜を問わない一日中の連続利用が可能となる。
【図面の簡単な説明】
【０００８】
【図１】  球体利用揚球式重力モーター装置の立面図である。
【図２】  回転することで球を高所に揚げる揚球盤の正面図である。
【図３】  揚球盤内の螺旋状走行路の立断面である。
【図４】  揚球盤の球出口部の平断面図である。
【図５】  球の重量で回転する重力回転盤の正面図である。
【図６】  球の流入量を制御する制球用羽根車の正面図である。
【図７】  制球用羽根車の回転軸変換部の平面図である。
【図８】  落下球調整羽根車に取り付ける同調歯車の正面図である。
【考案を実施するための形態】
【０００９】      揚球盤と重力回転盤は垂直に設置し、各回転軸はベアリング等で受ける。各回転盤間には傾斜誘導路を設け、球は自重で移動する様にする。傾斜誘導路上で且つ球入口部前には制球用羽根車を設置して球の流入量を制御する。重力回転盤の上部には球の落下タイミングを調整する落下球調整羽根車を設け、重力回転盤の片側だけに球が落下する様に設置する。重力回転盤で発生する回転力は歯車やタイミングベルトで必要な回転数に増速し、伝導軸を介して揚球盤と制球用羽根車に伝える。各回転軸を連結することによって各回転体の回転数や球の移動数を連動させ、連続運転を可能ならしめる。
【実施例】
【０００９】    球は比重が重く摩耗に強い鋼球などを用い、揚球盤や重力回転盤、その支持部材は、球の重量、回転盤のサイズによって適宣選択する。以下、添付図面に従って一実施例を説明する。図１は球体利用揚球式重力モーターの構成要素を配置し、各部品の連携を示したものである。【００１０】    球１は揚球盤１０１に下部の球入口１０ａから入り、揚球盤の回転に伴い螺旋状の走行路１０２を自重で回転移動する。走行路左右には、柔軟性のある球走行サポート材１０Ｃを設けて球の蛇行と騒音を低減する。やがて球は、球出口１０ｂから排出されるが、球の排出を促すために球出口サポート材１０ｄを設ける。球をより高所に揚げるときには二つ目の揚球盤２０１を垂直方向に増設する。その場あい第２の揚球盤２０１の球入口１０ａを第１の揚球盤１０１の球出口１０ｂ側に設け、且つ第２の揚球盤２０１の球入口１０ａの位置を第１の揚球盤１０１の球出口１０ｂの位置より高さを低く設定する。球排出口１０ｂから排出された球１は、球１の落下を防ぐ誘導路側板５ａを備えた傾斜誘導路５を自重で移動し揚球盤２０１に、更に重力回転盤３０１へと向かう。【００１１】    揚球盤１０１の直径サイズが球１に対して十分に大きい場合には、球入口１０ａと螺旋状走行路１０２、球出口１０ｂを同一揚球盤内に増設し二重螺旋、三重螺旋を形成すると一回転で揚げられる球１数を増すことが出来る。揚球盤１０１数を垂直方向に増設する度に球１の位置エネルギーが高まると共に、重力回転盤３０１の半径を大きく出来、より大きな回転力が発生する。【００１２】    傾斜誘導路５上に設置された制球用羽根車４０１は、揚球盤１０１、および揚球盤２０１の球入口１０ａが傾斜誘導路５の位置に来た時に、球が一個揚球盤１０１・１０２に入るように回転数を設定する。制球用羽根車４０１の回転軸６ｂと伝導軸６ａをタイミングベルト４と歯車２で連結し、ギヤＢＯＸ４０２で回転軸方向と回転の向き及び回転数を変化させて、揚球盤が必要とする球数を送り出せる様に、タイミングと回転数を制御する。【００１３】    重力回転盤３０１の上部には、落下調整羽根車４０３を設置し、且つ落下調整羽根車４０３の回転軸６ｂに同調歯車５０１を設け、重力回転盤３０１の側板外部に設けたピン５０ａによって回転する様にして、球１の落下数を、重力回転盤３０１の玉受け桝３０２の移動に同調させ、亦、下降に向かう玉受け桝３０２だけに球を落下させる。【００１４】    重力回転盤３０１の外周に配置した玉受け桝３０２の底部には玉受け桝クッション材３０４を設け、球１の落下衝撃を和らげ、騒音を低減する。玉受け桝３０２は可能な限り多数を重力回転盤３０１外周部に配置し、傾斜角度は、球１が重力回転盤３０１の回転中に玉受け桝３０２からはみ出さず、球放出点３０ａに達した時に球接地面が水平になり、球１が自重で転がり出る様に設定する。重力回転盤３０１から放出された球１は、傾斜誘導路５に導かれ再度揚球盤１０１に向かう。【００１５】    本考案の一実施例は上述の如き構成からなり、球の自重だけで球の循環が繰り返され、重力を利用したモーターとして安定した活用が図れる。
【符号の説明】
【００１６】１      球
２      歯車
３      プーリー
４      タイミングベルト
５      傾斜誘導路
５ａ    誘導路側板
６ａ    伝導軸
６ｂ    回転軸
１０１  揚球盤本体
１０２  螺旋状走行路
１０３  揚球盤側板
１０ａ  球入口
１０ｂ  球出口
１０ｃ  球走行サポート材
１０ｄ  球出口サポート材
２０１  揚球盤２
３０１  重力回転盤本体
３０２  球受け桝
３０３  玉受け桝クッション材
３０ａ  球放出点
４０１  制球用羽根車本体
４０２  ギヤＢＯＸ
４０３  落下球調整羽根車
５０１  同調歯車
５０ａ  ピン
【図１】
0003174139.tif 000003
【図２】
0003174139.tif 000004
【図３】
0003174139.tif 000005
【図４】
0003174139.tif 000006
【図５】
0003174139.tif 000007
【図６】
0003174139.tif 000008
【図７】
0003174139.tif 000009
【図８】
0003174139.tif 000010